(57)【要約】【課題】靴内に繰り返して装着することができ、装着後にずれることがない。【解決手段】靴用中敷１は足裏の輪郭形状の平面体をしており、足裏に当接する表面層２と、この表面層２の裏側に熱融着や接着剤等により貼り付けた吸着層３とから成っている。表面層２は起毛布帛、不織布、低反発弾性を有する合成樹脂等から成り、通気性を備え、吸着層３の下面は、多数の微細な窪みを有している。吸着層３全体を靴の中底に押圧することで吸着層３の下面に存在する微細な窪みから空気が抜け、吸着層３は中底に吸着し、固定される。【選択図】図１
2017124093.tif 000002
【特許請求の範囲】
【請求項１】
靴の中底に装着する中敷において、
該中敷は表面層と該表面層の裏面に積層された吸着層とを備え、
該吸着層は表面に多数の微細な窪みを生成した発泡合成樹脂から成り、前記中底への再吸着及び剥離を反復可能としたことを特徴とする靴用中敷。
【請求項２】
前記表面層と前記吸着層との間に中間層を介在したことを特徴とする請求項１に記載の靴用中敷。
【請求項３】
前記中敷の周囲に内側に向けて多数の切込部を形成し、これらの切込部により周縁部を起立部として立ち上げ可能としたことを特徴とする請求項１又は２に記載の靴用中敷。
【発明の詳細な説明】
【技術分野】
【０００１】
本発明は、靴の中底上に装着する中敷に関するものである。
【背景技術】
【０００２】
所有する靴に対して流通している中敷を単独で装着して、使用者の履き心地や保温性を改善することは広く行われている。特許文献１には、使用中に中敷が移動することを防止するために、底面に粘着剤を塗布した中敷が開示されており、中敷の底面を靴の中底に貼り付けて使用している。
【０００３】
また、単独で流通している中敷は、複数のサイズ、例えば大人男性用では大中小の３種類程度が用意されており、使用者は自分の靴サイズに対応した中敷を使用している。
【先行技術文献】
【特許文献】
【０００４】
【特許文献１】特開２００６−２８８５４８号公報
【発明の概要】
【発明が解決しようとする課題】
【０００５】
特許文献１の靴用中敷のように、靴内に粘着剤によって強く貼り付けた中敷であっても、長時間の使用により粘着剤の粘着性が徐々に低下するので、使用により中敷全体がつま先方向にずれてゆくことになる。
【０００６】
そして、ずれ過ぎるとつま先に中敷の一部が集まり不快を感ずるため、一度中敷を靴から取り出して貼り直すことになる。しかし、一度靴の中底から剥がした中敷は、粘着力が不足してしまい、またすぐにずれてしまうという問題がある。
【０００７】
また、中敷のサイズについても、自分の靴サイズの中敷が売り切れの場合には、適切な中敷を使用することができず、購入した中敷が自分の靴のサイズに対して大き過ぎたり、小さ過ぎたりすることもある。
【０００８】
このようにサイズが合わない場合には、長時間の使用に伴い中敷がずれてしまい、使用者は位置調整のために中敷を貼り直すことがある。このため粘着力が不足し、更にずれ易くなるという問題もある。
【０００９】
本発明の目的は、靴内に繰り返して装着することが可能な中敷を提供することにある。
【００１０】
本発明の他の目的は、靴サイズに拘らず、装着可能な中敷を提供することにある。
【課題を解決するための手段】
【００１１】
上記目的を達成するための本発明に係る靴用中敷は、靴の中底に装着する中敷において、該中敷は表面層と該表面層の裏面に積層された吸着層とを備え、該吸着層は表面に多数の微細な窪みを生成した発泡合成樹脂から成り、前記中底への再吸着及び剥離を反復可能としたことを特徴とする。
【発明の効果】
【００１２】
本発明に係る靴用中敷によれば、底面に吸着力が低下しない合成樹脂の発泡体を採用することで、ずれても吸着力が落ちずに貼り直すことが可能である。
【００１３】
また、周縁に内向きの切込みを入れることで、靴サイズに拘らず適切に装着することができる。
【図面の簡単な説明】
【００１４】
【図１】実施例１の靴用中敷の斜視図である。
【図２】横断面図である。
【図３】使用状態の説明図である。
【図４】実施例２の中敷の斜視図である。
【図５】使用状態の説明図である。
【発明を実施するための形態】
【００１５】
本発明を図示の実施例に基づいて詳細に説明する。
【実施例１】
【００１６】
図１は実施例１の靴用中敷１の斜視図であり、図２は横断面図である。中敷１は足裏の輪郭形状の平面体をしており、足裏に当接する表面層２と、この表面層２の裏側に熱融着や接着剤等により貼り付けた吸着層３とから成っている。
【００１７】
また、中敷１の大きさは、平均的な靴のサイズと同サイズであり、前後数ｃｍの大きさの靴に対応可能である。なお、平均的な靴のサイズは、男性用、女性用とでは異なることから、男性用、女性用とで別の中敷１を製造することになる。
【００１８】
表面層２は起毛布帛、不織布、低反発弾性を有する合成樹脂等から成り、通気性を備え、更に保温性を有することが好ましい。吸着層３は専ら発泡合成樹脂から成り、吸着層３の少なくとも下面は、多数の微細な窪みを有している。この微細な窪みは、直径３００μｍ以下の空隙であり、各々が微細な吸盤のような作用を奏することになる。
【００１９】
発泡合成樹脂層から成る吸着層３は、アクリル酸エマルジョンを発泡させた後に加熱乾燥することにより得られる。なお、このアクリル樹脂に代えてポリウレタン樹脂としてもよい。また、発泡合成樹脂にはゴム成分の他に、発泡剤、整泡剤、界面活性剤、増粘剤その他の添加剤を含めることもできる。
【００２０】
表面層２と吸着層３との積層は例えば接着剤により行い、表面層２と吸着層３との積層面は、互いの全面を接着したものである。或いは、互いの面の周縁部分のみを接着したものであってもよく、スポット的に接着するようにしても支障はない。
【００２１】
表面層２、吸着層３の他に、緩衝性や保温性を高めるために、表面層２と吸着層３との間に不織布や低反発弾性を有する合成樹脂から成る中間層を介して積層してもよい。
【００２２】
図３に示すように、靴Ｓは表面側に中底Ｓ１を有する靴底Ｓ２と、この靴底Ｓ２の周縁部分を取り囲むように連結した甲革Ｓ３とから成る。中底Ｓ１は使用者の足裏を中敷１を介して乗せる部分である。
【００２３】
甲革Ｓ３は使用者の足を上方から覆う部分であり、その爪先部は足の甲の形状に沿う形状をなす袋状に形成され、後方は踵を覆う筒状体とされており、この筒状体が足を挿入するための履き口Ｓ４を形成している。
【００２４】
中敷１を使用する場合には、先ず靴Ｓの履き口Ｓ４から中敷１を内部に挿入する。中敷１の挿入後に位置合わせを行い、吸着層３全体を中底Ｓ１に押圧する。このように押圧することで吸着層３の下面に存在する微細な窪みから空気が抜ける。これにより、この微細な窪みの内圧は大気圧より小さくなるため、吸着層３は中底Ｓ１に吸着し、中敷１が中底Ｓ１に固定される。
【００２５】
使用者は中敷１を踏み付けることで、より一層、中敷１が中底Ｓ１に吸着されることになる。中敷１を装着した靴Ｓを履いて、歩行者が自在に歩き回ると、歩行者の足から発汗し、汗は湿気として、靴Ｓの内部に留まることになる。
【００２６】
靴Ｓ内に充満した湿気は、吸着層３と中底Ｓ１との間に入り込み、微量の水分が中敷１の吸着層３に浸透すると、吸着層３の発泡合成樹脂は膨潤軟化すると同時に、中敷１の吸着層３と中底Ｓ１と表面張力が作用して、吸着力がより高まる。
【００２７】
このように、中底Ｓ１に強固に吸着した中敷１を装着した靴Ｓによれば、歩行者が長時間歩き回っても、中敷１が浮き上がったり、ずれ動いたりすることがない。
【実施例２】
【００２８】
図４は実施例２の中敷１’の斜視図であり、実施例１と同一の部位は同一の符号を付している。中敷１’の材料構成は実施例１の中敷１と同様であり、中敷１’は中底Ｓ１に強固に吸着可能である。
【００２９】
実施例２においては、中敷１’の周囲には５〜１０ｍｍ程度の長さの多数の内側を向く切込部４が設けられており、この切込部４により中敷１の周縁は、点線Ｌに沿って上方に起立部５として折曲可能とされている。
【００３０】
点線Ｌの外周は平均的な靴のサイズより若干小さいサイズであり、中敷１’の全体の大きさは、平均的な靴のサイズより若干大きいサイズである。この大きさにより、異なるサイズの靴に取り付けが可能である。
【００３１】
この中敷１は靴Ｓの中底Ｓ１に実施例１と同様に装着することができる。サイズが小さい靴Ｓに対して、中敷１’が大き過ぎる場合であっても、図５に示すように、起立部５を立ち上げてすぼめると、中敷１の底面積は一廻り小さくなるので、中底Ｓ１上に装着することができる。なお、サイズが大きい靴Ｓに対して中敷１’を装着する場合は、起立部５を立ち上げることなく、中敷１’を平面状のまま使用することになる。
【００３２】
また、中敷１又は中敷１’を装着した靴Ｓを履いた後は、中敷１又は中敷１’を中底Ｓ１から剥離して洗濯することが可能である。中敷１又は中敷１’の吸着層３は、洗濯しても吸着力が劣化することはないので、中敷１を常に清潔に保ちながら、繰り返して靴Ｓに装着することができる。
【符号の説明】
【００３３】
１  中敷
２  表面層
３  吸着層
４  切込部
５  起立部
Ｓ  靴
【図１】
2017124093.tif 000003
【図２】
2017124093.tif 000004
【図３】
2017124093.tif 000005
【図４】
2017124093.tif 000006
【図５】
2017124093.tif 000007